(57)【要約】【課題】番号帯規制の対象とすべき網を限定可能とするとともに、規制対象の電話番号が他の加入者セッション制御サーバまたは他網に移設された場合には発信規制の対象から除外する。【解決手段】着信先の電話番号を含む呼接続要求信号を発信元のＩＰ電話端末から受信した発信元サーバが、加入者の電話番号とその収容先の加入者セッション制御サーバとを対応付けて記憶する宛先解決装置に、受信した前記電話番号を送信するステップと、前記宛先解決装置が、着信先サーバへのルーチングに用いるサーバルーチング番号を、前記発信元サーバに返送するステップと、前記発信元サーバが、番号帯規制の対象ではないと判定された前記呼接続要求信号を、前記サーバルーチング番号をキーとする番号ルーチングによって、前記着信先サーバにルーチングするステップとを含む。【選択図】図２
2015204586.tif 000002
【特許請求の範囲】
【請求項１】
電話番号として０ＡＢ〜Ｊ番号が付与されたＩＰ電話端末に対してＩＰ網を介した通話路を設定するための呼制御信号のルーチング方法であって、
発信元のＩＰ電話端末を収容する加入者セッション制御サーバである発信元サーバが、着信先の電話番号を含む呼接続要求信号を前記発信元のＩＰ電話端末から受信するステップと、
前記発信元サーバが、前記ＩＰ網に加入者登録されている前記ＩＰ電話端末の電話番号とその収容先の加入者セッション制御サーバとを対応付けて加入者番号ルーチングテーブルに記憶する宛先解決装置に、受信した前記着信先の電話番号を送信するステップと、
前記宛先解決装置が、受信した前記着信先の電話番号に対応付けて記憶している前記収容先の加入者セッション制御サーバを着信先サーバとして特定し、当該着信先サーバへのルーチングに用いるサーバルーチング番号を、前記発信元サーバに返送するステップと、
前記発信元サーバが、前記サーバルーチング番号に基づいて、前記呼接続要求信号はトラヒック制御装置によって指示された自網の番号帯規制の対象であるか否かを判定して、前記番号帯規制の対象ではないと判定した前記呼接続要求信号を、前記サーバルーチング番号をキーとする番号ルーチングによって、前記着信先サーバにルーチングするステップと、
前記呼接続要求信号を受信した前記着信先サーバが、自身の加入者番号テーブルに前記着信先の電話番号が登録されていることを確認して、自身が収容する着信先のＩＰ電話端末に呼を着信させるステップと
を含むことを特徴とするルーチング方法。
【請求項２】
電話番号として０ＡＢ〜Ｊ番号が付与されたＩＰ電話端末に対してＩＰ網を介した通話路を設定するための呼制御信号のルーチング方法であって、
発信元のＩＰ電話端末を収容する加入者セッション制御サーバである発信元サーバが、着信先の電話番号を含む呼接続要求信号を前記発信元のＩＰ電話端末から受信するステップと、
前記発信元サーバが、前記ＩＰ網に加入者登録されている前記ＩＰ電話端末の電話番号とその収容先の加入者セッション制御サーバとを対応付けて加入者番号ルーチングテーブルに記憶する宛先解決装置に、受信した前記着信先の電話番号を送信するステップと、
前記宛先解決装置が、受信した前記着信先の電話番号を前記加入者番号ルーチングテーブルに記憶している場合は、前記着信先の電話番号が自網に収容されている旨を、前記発信元サーバに通知するステップと、
前記発信元サーバが、前記着信先の電話番号に基づいて、前記呼接続要求信号はトラヒック制御装置によって指示された自網の番号帯規制の対象であるか否かを判定して、前記番号帯規制の対象ではないと判定した前記呼接続要求信号を、前記着信先の電話番号をキーとする番号ルーチングによって、前記着信先の電話番号を含む番号帯の加入者番号を記憶する加入者セッション制御サーバである着信先サーバにルーチングするステップと、
前記呼接続要求信号を受信した前記着信先サーバが、自身の加入者番号テーブルに前記着信先の電話番号が登録されている場合は、着信先のＩＰ電話端末に呼を着信させ、自身の加入者番号テーブルに前記着信先の電話番号の移設先サーバのサーバルーチング番号が登録されている場合は、当該呼接続要求信号を前記移設先サーバにルーチングすべき旨を当該呼接続要求信号の送信元サーバに返送するステップと
を含むことを特徴とするルーチング方法。
【請求項３】
請求項１または請求項２に記載のルーチング方法において、
前記宛先解決装置が、受信した前記着信先の電話番号を前記加入者番号ルーチングテーブルに記憶していない場合は、受信した前記着信先の電話番号が他網に移設された旨を、前記発信元サーバに通知するステップと、
前記発信元サーバが、前記呼接続要求信号は前記トラヒック制御装置によって指示された前記他網の番号帯規制の対象であるか否かを判定して、前記番号帯規制の対象ではないと判定した前記呼接続要求信号を、前記他網との相互接続を行う接続ゲートウェイにルーチングし、前記接続ゲートウェイが前記他網に前記着信先の電話番号を含む所定形式の呼接続要求信号を送信するステップと、
前記所定形式の呼接続要求信号を受信した前記他網の着信先サーバが、自身の加入者番号テーブルに前記着信先の電話番号が登録されていることを確認して、自身が収容する着信先の電話端末に呼を着信させるステップと
を含むことを特徴とするルーチング方法。
【請求項４】
請求項１乃至請求項３のいずれか一項に記載のルーチング方法において、
前記発信元サーバは、
前記呼接続要求信号が前記番号帯規制の対象であると判定した場合は、前記呼接続要求信号による発信を規制する
ことを特徴とするルーチング方法。
【請求項５】
電話番号として０ＡＢ〜Ｊ番号が付与されたＩＰ電話端末に対してＩＰ網を介した通話路を設定するための、加入者セッション制御サーバと中継セッション制御サーバとの２階梯からなる呼制御信号のルーチングシステムであって、
前記ＩＰ網に加入者登録されている前記ＩＰ電話端末の電話番号とその収容先の加入者セッション制御サーバとを対応付けて加入者番号ルーチングテーブルに記憶する宛先解決装置を備え、
発信元のＩＰ電話端末を収容する前記加入者セッション制御サーバである発信元サーバは、着信先の電話番号を含む呼接続要求信号を前記発信元のＩＰ電話端末から受信して、前記宛先解決装置に、受信した前記着信先の電話番号を送信し、
前記宛先解決装置は、受信した前記着信先の電話番号に対応付けて記憶している前記収容先の加入者セッション制御サーバを着信先サーバとして特定して、当該着信先サーバへのルーチングに用いるサーバルーチング番号を、前記発信元サーバに返送し、
前記発信元サーバは、前記サーバルーチング番号に基づいて、前記呼接続要求信号がトラヒック制御装置によって指示された自網の番号帯規制の対象であるか否かを判定して、前記番号帯規制の対象ではないと判定した前記呼接続要求信号を、前記サーバルーチング番号をキーとする番号ルーチングによって、前記着信先サーバにルーチングし、
前記呼接続要求信号を受信した前記着信先サーバは、自身の加入者番号テーブルに前記着信先の電話番号が登録されていることを確認して、前記着信先のＩＰ電話端末に呼を着信させる
ことを特徴とするルーチングシステム。
【請求項６】
電話番号として０ＡＢ〜Ｊ番号が付与されたＩＰ電話端末間にＩＰ網を介した通話路を設定するための、加入者セッション制御サーバと中継セッション制御サーバとの２階梯からなる呼制御信号のルーチングシステムであって、
前記ＩＰ網に加入者登録されている前記ＩＰ電話端末の電話番号とその収容先の加入者セッション制御サーバとを対応付けて加入者番号ルーチングテーブルに記憶する宛先解決装置を備え、
発信元のＩＰ電話端末を収容する前記加入者セッション制御サーバである発信元サーバは、着信先の電話番号を含む呼接続要求信号を前記発信元のＩＰ電話端末から受信して、
前記宛先解決装置に、受信した前記着信先の電話番号を送信し、
前記宛先解決装置は、受信した前記着信先の電話番号を前記加入者番号ルーチングテーブルに記憶している場合は、前記着信先の電話番号が自網に収容されている旨を、前記発信元サーバに通知し、
前記発信元サーバは、前記着信先の電話番号に基づいて、前記呼接続要求信号はトラヒック制御装置によって指示された自網の番号帯規制の対象であるか否かを判定して、前記番号帯規制の対象ではないと判定した前記呼接続要求信号を、前記着信先の電話番号をキーとする番号ルーチングによって、前記着信先の電話番号を含む番号帯の加入者番号を記憶する加入者セッション制御サーバである着信先サーバにルーチングし、
前記呼接続要求信号を受信した前記着信先サーバは、自身の加入者番号テーブルに前記着信先の電話番号が登録されている場合は、自身が収容する着信先のＩＰ電話端末に呼を着信させ、自身の加入者番号テーブルに前記着信先の電話番号の移設先サーバのサーバルーチング番号が登録されている場合は、当該呼接続要求信号を前記移設先サーバにルーチングすべき旨を当該呼接続要求信号の送信元サーバに返送する
ことを特徴とするルーチングシステム。
【請求項７】
請求項５または請求項６に記載のルーチングシステムにおいて、
前記宛先解決装置は、受信した前記着信先の電話番号を前記加入者番号ルーチングテーブルに記憶していない場合は、受信した前記着信先の電話番号が他網に移設された旨を、前記発信元サーバに通知し、
前記発信元サーバは、前記呼接続要求信号が前記トラヒック制御装置によって指示された前記他網の番号帯規制の対象であるか否かを判定して、前記番号帯規制の対象ではないと判定した前記呼接続要求信号を、前記他網との相互接続を行う接続ゲートウェイにルーチングし、前記接続ゲートウェイは、前記他網に前記着信先の電話番号を含む所定形式の呼接続要求信号を送信し、
前記所定形式の呼接続要求信号を受信した前記他網の着信先サーバは、自身の加入者番号テーブルに前記着信先の電話番号が登録されていることを確認して、自身が収容する着信先の電話端末に呼を着信させる
ことを特徴とするルーチングシステム。
【請求項８】
請求項５乃至請求項７のいずれか一項に記載のルーチングシステムにおいて、
前記発信元サーバは、
前記呼接続要求信号が前記番号帯規制の対象であると判定した場合は、前記呼接続要求信号による発信を規制する
ことを特徴とするルーチングシステム。
【発明の詳細な説明】
【技術分野】
【０００１】
本発明は、ＩＰ（Internet Protocol）通信網におけるＩＰ電話呼のルーチング方法およびルーチングシステムに関する。
【背景技術】
【０００２】
いわゆる０ＡＢ〜Ｊ番号体系を利用することにより、ＩＰ通信網においても、従来の公衆電話網と同様な各種電話サービスが提供可能となっている（例えば、非特許文献１参照）。０ＡＢ〜Ｊ番号では、個々の地域を特定する番号区画に、０に続く１〜４桁の市外局番が、その１桁目の数字が北から南に向かって大きくなるように割り当てられている（非特許文献２参照）。また、市外局番に続く１〜４桁の１以上の市内局番が、それぞれの番号区画に割り当てられている。これにより、それぞれの番号区画毎に加入者に割当て可能な電話番号の範囲（番号帯）が予め定められる。
【０００３】
このように、番号帯によって地域（番号区画）が特定されるという特性から、呼接続制御を司るＳＩＰ（Session Initiation Protocol）サーバを番号区画毎に配備し、加入者を番号帯の単位で収容するモデルを考える。図８は、比較例のルーチングシステムの接続構成例を示す図である。図８に示すように、次世代のＩＰ通信網であるＮＧＮ（Next Generation Network）１と既存の公衆電話網であるＰＳＴＮ（Public Switched Telephone Network）２とが相互接続されている。また、災害等によって特定の地域に輻輳が生じた場合に、当該地域宛の発信を規制する（番号帯規制を指示する）トラヒック制御システム（以降ＴＣＳ（Traffic Control System）と略記）３が備えられている。
【０００４】
図８の接続構成例に示すように、それぞれの番号区画（Ａブロック１０Ａ、Ｂブロック１０Ｂ）には、番号帯の単位で加入者を収容するＳＩＰサーバである加入者セッション制御サーバ（以降ＳＳＣ（Subscriber Session Control server）と略記）１１〜１３が配備される。さらに、ＳＳＣ間およびＳＳＣとＰＳＴＮ２との間でＳＩＰ信号を中継するＳＩＰサーバである中継セッション制御サーバ（以降ＩＳＣ（Intermediate Session Control server）と略記）１４〜１６が配備される。
【０００５】
図８の例では、Ａブロック１０Ａには、「０１−１１１１」から始まる番号帯の加入者を収容するＳＳＣ１１が配備されている。Ｂブロック１０Ｂには、「０３−１１１１」から始まる番号帯の加入者を収容するＳＳＣ１２と、「０３−２２２２」から始まる番号帯の加入者を収容するＳＳＣ１３とが配備されている。また、Ａブロック１０Ａには、他のブロックとの間でＳＩＰ信号を中継するＩＳＣ１４が、Ｂブロック１０Ｂには、他のブロックとの間でＳＩＰ信号を中継するＩＳＣ１５と、ＰＳＴＮ２との間の呼接続を行うＩＳＣ１６とが配備されている。なお、ＳＩＰ信号のルーチングは、着信電話番号が含まれる番号帯をキーとする番号ルーチングによって行われる。
【先行技術文献】
【非特許文献】
【０００６】
【非特許文献１】ＮＴＴ東日本、”ひかり電話（光ＩＰ電話）”、［online］、［2014年3月28日検索］、インターネット〈URL：https://flets.com/hikaridenwa/〉
【非特許文献２】総務省、”電気通信番号指定状況”、［online］、［2014年3月28日検索］、インターネット〈URL：http://www.soumu.go.jp/main#sosiki/joho#tsusin/top/tel#number/number#shitei.html〉
【発明の概要】
【発明が解決しようとする課題】
【０００７】
ここで、番号ポータビリティサービスに係る課題について説明する。番号ポータビリティサービスによってＮＧＮ１内のあるＳＳＣの配下から他のＳＳＣの配下に移設された電話番号については、移設前のＳＳＣの加入者番号テーブルに移設先ＳＳＣの識別情報が登録され、移設先ＳＳＣの加入者番号テーブルに当該電話番号が追加登録される。また、ＮＧＮ１内のあるＳＳＣの配下からＰＳＴＮ２に移設された電話番号については、移設前のＳＳＣの加入者番号テーブルから当該電話番号が削除され、移設先の群局（以降ＧＣ（Group Unit Center）と略記）の加入者番号テーブルに当該電話番号が追加登録される。
【０００８】
図８のデータ例は、ＳＳＣ１３に収容されていた電話番号「０２−２２２２−３３３３」がＳＳＣ１２の配下に移設され、ＳＳＣ１２に収容されていた電話番号「０３−１１１１−１１１１」がＰＳＴＮ２のＧＣ２１の配下に移設された場合を示している。すなわち、ＳＳＣ１３の加入者番号テーブル１７Ｙの２行目には、移設された電話番号「０２−２２２２−３３３３」の移設先ＳＳＣの識別情報「ＳＳＣ＃２」が登録され、ＳＳＣ１２の加入者番号テーブル１７Ｘの２行目には、当該電話番号が登録されている。また、ＳＳＣ１２の加入者番号テーブル１７Ｘからは移設された電話番号「０３−１１１１−１１１１」が削除され、ＧＣ２１の加入者番号テーブル２３Ｘに当該電話番号が登録されている。
【０００９】
図９は、比較例のルーチングシステムにおける、番号ポータビリティサービスによってＮＧＮ１内のあるＳＳＣの配下から他のＳＳＣの配下に移設された電話番号宛の呼に係るルーチング動作の例を示す図である。発信元のＩＰ電話端末３１から、電話番号「０３−２２２２−３３３３」への発信が行われると、ＳＳＣ１１は、従来の番号ルーチングにより、当該電話番号（以降０ＡＪと標記）をパラメータとするＩＮＶＩＴＥ信号をＩＳＣ１４に送信する。そして、従来の番号ルーチングにより、同様なＩＮＶＩＴＥ信号が、ＩＳＣ１４からＩＳＣ１５を経由して当該電話番号が含まれる番号帯「０３−２２２２」を管理しているＳＳＣ１３に転送される。
【００１０】
ＳＳＣ１３は、自身の加入者番号テーブル１７Ｙを参照することにより、受信した電話番号の移設先ＳＳＣのサーバルーチング番号（番号ルーチングのために付される０ＡＢ〜Ｊ番号、以降ＳＲＮ（Server Routing Number）と略記）を取得する。図９のデータ例では、移設先ＳＳＣ１２のＳＲＮ（番号は「０３−１１１１−００００」）を「ＳＳＣ＃２」と標記している。そして、ＳＳＣ１３は、当該電話番号は自網（＠ＮＷ１ドメイン）のＳＳＣ１２の配下に移設されたことを通知する３０１（０ＡＪ；ＳＳＣ＃２＠ＮＷ１）信号をＩＳＣ１５に返送する。なお、＠ＮＷ１は、自網を識別するために信号に付される符号の一例である（他の各図においても同様）。
【００１１】
この３０１信号を受信したＩＳＣ１５は、ＳＲＮを用いた番号ルーチングによりＳＳＣ１２宛にＩＮＶＩＴＥ（０ＡＪ；ＳＳＣ＃２＠ＮＷ１）信号を送信する。ＳＳＣ１２は、受信したＩＮＶＩＴＥ信号に含まれる電話番号が自身の加入者番号テーブル１７Ｘに登録されていることを確認して、該当するＩＰ電話端末３２に呼を着信させる。
【００１２】
図１０は、比較例のルーチングシステムにおける、番号ポータビリティサービスによってＮＧＮ１内のあるＳＳＣの配下からＰＳＴＮ２に移設された電話番号宛の呼に係るルーチング動作の例を示す図である。発信元のＩＰ電話端末３１から、電話番号「０３−１１１１−１１１１」への発信が行われると、ＳＳＣ１１は、従来の番号ルーチングにより、当該電話番号（以降０ＡＪと標記）をパラメータとするＩＮＶＩＴＥ信号をＩＳＣ１４に送信する。そして、従来の番号ルーチングにより、同様なＩＮＶＩＴＥ信号が、ＩＳＣ１４からＩＳＣ１５を経由して当該電話番号が含まれる番号帯「０３−１１１１」を管理しているＳＳＣ１２に転送される。
【００１３】
ＳＳＣ１２は、受信した電話番号が自身の加入者番号テーブル１７Ｘに登録されていないので、当該電話番号は他網（＠ＮＷ２ドメイン）に移設されたことを通知する３０１（＠ＮＷ２）信号をＩＳＣ１５に返送する。なお、＠ＮＷ２は、他網を識別するために信号に付される符号の一例である（他の各図においても同様）。
【００１４】
この３０１信号を受信したＩＳＣ１５は、＠ＮＷ２ドメイン（ＰＳＴＮ２）への呼接続を行うために、＠ＮＷ２ドメイン宛のＩＮＶＩＴＥ信号をＩＳＣ１６に送信する。ＩＳＣ１６は、受信したＩＮＶＩＴＥ信号をＰＳＴＮ２の呼接続要求信号であるＩＡＭ（０ＡＪ）信号に変換して関門交換機（以降ＩＧＳ（Interconnecting Gateway Switch）と略記）２２に送信する。ＩＧＳ２２は、従来の番号ルーチングによって当該ＩＡＭ（０ＡＪ）信号を当該電話番号を収容するＧＣ２１に転送する。ＧＣ２１は、受信したＩＡＭ信号に含まれる電話番号が自身の加入者番号テーブル２３Ｘに登録されていることを確認して、該当する電話機３４に呼を着信させる。
【００１５】
ここで、図１１に示すように、災害等により、例えば、番号帯「０３−１ＸＸＸ」に該当する特定の地域においてＰＳＴＮ２のＧＣ２１に輻輳が発生したものと仮定する。このとき、ＴＣＳ３は、ＧＣ２１から輻輳通知を受信すると、輻輳対策として番号帯「０３−１ＸＸＸ」宛の発信を規制する番号帯規制を発動し、各ＳＳＣ１１〜１３に通知する。
【００１６】
その結果、例えばＳＳＣ１１は、配下のＩＰ電話端末３１から「０３−１ＸＸＸ」の番号帯に含まれる電話番号への発信要求があった場合、それらをすべて発信規制の対象とする。したがって、図１１の破線で示した信号の送信は行われず、輻輳が発生していないＮＧＮ１内の電話番号「０３−１１１１−０００１」への発信であっても、一律に発信規制の対象となってしまう。また、番号ポータビリティサービスによって、発信規制の対象となっている番号帯のＳＳＣから他のＳＳＣまたは他網に移設された電話番号も、同様に発信規制の対象となってしまう。
【００１７】
本発明は、前記の課題を解決するためになされたものであり、番号帯規制の対象とすべき網を限定可能とするとともに、規制対象の電話番号が番号ポータビリティサービスによって他のＳＳＣまたは他網に移設された場合には発信規制の対象から除外することを目的とする。
【課題を解決するための手段】
【００１８】
前記の目的を達成するために、第一の本発明は、電話番号として０ＡＢ〜Ｊ番号が付与されたＩＰ電話端末に対してＩＰ網を介した通話路を設定するための呼制御信号のルーチング方法であって、発信元のＩＰ電話端末を収容する加入者セッション制御サーバである発信元サーバが、着信先の電話番号を含む呼接続要求信号を前記発信元のＩＰ電話端末から受信するステップと、前記発信元サーバが、前記ＩＰ網に加入者登録されている前記ＩＰ電話端末の電話番号とその収容先の加入者セッション制御サーバとを対応付けて加入者番号ルーチングテーブルに記憶する宛先解決装置に、受信した前記着信先の電話番号を送信するステップと、前記宛先解決装置が、受信した前記着信先の電話番号に対応付けて記憶している前記収容先の加入者セッション制御サーバを着信先サーバとして特定し、当該着信先サーバへのルーチングに用いるサーバルーチング番号を、前記発信元サーバに返送するステップと、前記発信元サーバが、前記サーバルーチング番号に基づいて、前記呼接続要求信号はトラヒック制御装置によって指示された自網の番号帯規制の対象であるか否かを判定して、前記番号帯規制の対象ではないと判定した前記呼接続要求信号を、前記サーバルーチング番号をキーとする番号ルーチングによって、前記着信先サーバにルーチングするステップと、前記呼接続要求信号を受信した前記着信先サーバが、自身の加入者番号テーブルに前記着信先の電話番号が登録されていることを確認して、自身が収容する着信先のＩＰ電話端末に呼を着信させるステップとを含むものとした。
【００１９】
このようにすることで、規制対象の電話番号が番号ポータビリティサービスによって他の加入者セッション制御サーバまたは他網に移設された場合には、発信規制の対象から除外することができる。
【００２０】
また第二の本発明は、電話番号として０ＡＢ〜Ｊ番号が付与されたＩＰ電話端末に対してＩＰ網を介した通話路を設定するための呼制御信号のルーチング方法であって、発信元のＩＰ電話端末を収容する加入者セッション制御サーバである発信元サーバが、着信先の電話番号を含む呼接続要求信号を前記発信元のＩＰ電話端末から受信するステップと、前記発信元サーバが、前記ＩＰ網に加入者登録されている前記ＩＰ電話端末の電話番号とその収容先の加入者セッション制御サーバとを対応付けて加入者番号ルーチングテーブルに記憶する宛先解決装置に、受信した前記着信先の電話番号を送信するステップと、前記宛先解決装置が、受信した前記着信先の電話番号を前記加入者番号ルーチングテーブルに記憶している場合は、前記着信先の電話番号が自網に収容されている旨を、前記発信元サーバに通知するステップと、前記発信元サーバが、前記着信先の電話番号に基づいて、前記呼接続要求信号はトラヒック制御装置によって指示された自網の番号帯規制の対象であるか否かを判定して、前記番号帯規制の対象ではないと判定した前記呼接続要求信号を、前記着信先の電話番号をキーとする番号ルーチングによって、前記着信先の電話番号を含む番号帯の加入者番号を記憶する加入者セッション制御サーバである着信先サーバにルーチングするステップと、前記呼接続要求信号を受信した前記着信先サーバが、自身の加入者番号テーブルに前記着信先の電話番号が登録されている場合は、着信先のＩＰ電話端末に呼を着信させ、自身の加入者番号テーブルに前記着信先の電話番号の移設先サーバのサーバルーチング番号が登録されている場合は、当該呼接続要求信号を前記移設先サーバにルーチングすべき旨を当該呼接続要求信号の送信元サーバに返送するステップとを含むものとした。
【００２１】
このようにすることで、着信先の電話番号が自網に収容されている場合の呼制御信号のルーチングに従来の番号ルーチングをそのまま適用できるので、運用中のシステムへの適用が容易である。
【００２２】
また第三の本発明は、前記のルーチング方法において、前記宛先解決装置が、受信した前記着信先の電話番号を前記加入者番号ルーチングテーブルに記憶していない場合は、受信した前記着信先の電話番号が他網に移設された旨を、前記発信元サーバに通知するステップと、前記発信元サーバが、前記呼接続要求信号は前記トラヒック制御装置によって指示された前記他網の番号帯規制の対象であるか否かを判定して、前記番号帯規制の対象ではないと判定した前記呼接続要求信号を、前記他網との相互接続を行う接続ゲートウェイにルーチングし、前記接続ゲートウェイが前記他網に前記着信先の電話番号を含む所定形式の呼接続要求信号を送信するステップと、前記所定形式の呼接続要求信号を受信した前記他網の着信先サーバが、自身の加入者番号テーブルに前記着信先の電話番号が登録されていることを確認して、自身が収容する着信先の電話端末に呼を着信させるステップとを含むものとした。
【００２３】
このようにすることで、番号ポータビリティサービスによってＩＰ網から他網に移設された電話番号については、接続ゲートウェイを介して通話路を設定することができる。
【００２４】
また第四の本発明は、前記のルーチング方法において、前記発信元サーバは、前記呼接続要求信号が前記番号帯規制の対象であると判定した場合は、前記呼接続要求信号による発信を規制するものとした。
【００２５】
このようにすることで、番号帯規制の対象となる網を個別に指定して発信規制を行うことができる。
【００２６】
また第五の本発明は、電話番号として０ＡＢ〜Ｊ番号が付与されたＩＰ電話端末に対してＩＰ網を介した通話路を設定するための、加入者セッション制御サーバと中継セッション制御サーバとの２階梯からなる呼制御信号のルーチングシステムであって、前記ＩＰ網に加入者登録されている前記ＩＰ電話端末の電話番号とその収容先の加入者セッション制御サーバとを対応付けて加入者番号ルーチングテーブルに記憶する宛先解決装置を備え、発信元のＩＰ電話端末を収容する前記加入者セッション制御サーバである発信元サーバは、着信先の電話番号を含む呼接続要求信号を前記発信元のＩＰ電話端末から受信して、前記宛先解決装置に、受信した前記着信先の電話番号を送信し、前記宛先解決装置は、受信した前記着信先の電話番号に対応付けて記憶している前記収容先の加入者セッション制御サーバを着信先サーバとして特定して、当該着信先サーバへのルーチングに用いるサーバルーチング番号を、前記発信元サーバに返送し、前記発信元サーバは、前記サーバルーチング番号に基づいて、前記呼接続要求信号がトラヒック制御装置によって指示された自網の番号帯規制の対象であるか否かを判定して、前記番号帯規制の対象ではないと判定した前記呼接続要求信号を、前記サーバルーチング番号をキーとする番号ルーチングによって、前記着信先サーバにルーチングし、前記呼接続要求信号を受信した前記着信先サーバは、自身の加入者番号テーブルに前記着信先の電話番号が登録されていることを確認して、前記着信先のＩＰ電話端末に呼を着信させるものとした。
【００２７】
このようにすることで、規制対象の電話番号が番号ポータビリティサービスによって他の加入者セッション制御サーバまたは他網に移設された場合には、発信規制の対象から除外することができる。
【００２８】
また第六の本発明は、電話番号として０ＡＢ〜Ｊ番号が付与されたＩＰ電話端末間にＩＰ網を介した通話路を設定するための、加入者セッション制御サーバと中継セッション制御サーバとの２階梯からなる呼制御信号のルーチングシステムであって、前記ＩＰ網に加入者登録されている前記ＩＰ電話端末の電話番号とその収容先の加入者セッション制御サーバとを対応付けて加入者番号ルーチングテーブルに記憶する宛先解決装置を備え、発信元のＩＰ電話端末を収容する前記加入者セッション制御サーバである発信元サーバは、着信先の電話番号を含む呼接続要求信号を前記発信元のＩＰ電話端末から受信して、前記宛先解決装置に、受信した前記着信先の電話番号を送信し、前記宛先解決装置は、受信した前記着信先の電話番号を前記加入者番号ルーチングテーブルに記憶している場合は、前記着信先の電話番号が自網に収容されている旨を、前記発信元サーバに通知し、前記発信元サーバは、前記着信先の電話番号に基づいて、前記呼接続要求信号はトラヒック制御装置によって指示された自網の番号帯規制の対象であるか否かを判定して、前記番号帯規制の対象ではないと判定した前記呼接続要求信号を、前記着信先の電話番号をキーとする番号ルーチングによって、前記着信先の電話番号を含む番号帯の加入者番号を記憶する加入者セッション制御サーバである着信先サーバにルーチングし、前記呼接続要求信号を受信した前記着信先サーバは、自身の加入者番号テーブルに前記着信先の電話番号が登録されている場合は、自身が収容する着信先のＩＰ電話端末に呼を着信させ、自身の加入者番号テーブルに前記着信先の電話番号の移設先サーバのサーバルーチング番号が登録されている場合は、当該呼接続要求信号を前記移設先サーバにルーチングすべき旨を当該呼接続要求信号の送信元サーバに返送する
ものとした。
【００２９】
このようにすることで、着信先の電話番号が自網に収容されている場合の呼制御信号のルーチングに従来の番号ルーチングをそのまま適用できるので、運用中のシステムへの適用が容易である。
【００３０】
また第七の本発明は、前記のルーチングシステムにおいて、前記宛先解決装置は、受信した前記着信先の電話番号を前記加入者番号ルーチングテーブルに記憶していない場合は、受信した前記着信先の電話番号が他網に移設された旨を、前記発信元サーバに通知し、前記発信元サーバは、前記呼接続要求信号が前記トラヒック制御装置によって指示された前記他網の番号帯規制の対象であるか否かを判定して、前記番号帯規制の対象ではないと判定した前記呼接続要求信号を、前記他網との相互接続を行う接続ゲートウェイにルーチングし、前記接続ゲートウェイは、前記他網に前記着信先の電話番号を含む所定形式の呼接続要求信号を送信し、前記所定形式の呼接続要求信号を受信した前記他網の着信先サーバは、自身の加入者番号テーブルに前記着信先の電話番号が登録されていることを確認して、自身が収容する着信先の電話端末に呼を着信させるものとした。
【００３１】
このようにすることで、番号ポータビリティサービスによってＩＰ網から他網に移設された電話番号については、接続ゲートウェイを介して通話路を設定することができる。
【００３２】
また第八の本発明は、前記のルーチングシステムにおいて、前記発信元サーバは、前記呼接続要求信号が前記番号帯規制の対象であると判定した場合は、前記呼接続要求信号による発信を規制するものとした。
【００３３】
このようにすることで、番号帯規制の対象となる網を個別に指定して発信規制を行うことができる。
【発明の効果】
【００３４】
本発明によれば、番号帯規制の対象とすべき網を限定可能とするとともに、規制対象の電話番号が番号ポータビリティサービスによって他の加入者セッション制御サーバまたは他網に移設された場合には発信規制の対象から除外することができる。
【図面の簡単な説明】
【００３５】
【図１】実施形態に係るルーチングシステムの接続構成例を示す図である。
【図２】番号ポータビリティサービスによりＮＧＮ内の他のＳＳＣの配下に移動した加入者番号宛の呼に係る第一実施形態のルーチング動作の例を示す図である。
【図３】番号ポータビリティサービスによりＮＧＮからＰＳＴＮに移動した加入者番号宛の呼に係る第一実施形態の番号帯規制動作の例を示す図である。
【図４】番号ポータビリティサービスによりＮＧＮ内の他のＳＳＣの配下に移動した加入者番号宛の呼に係る第二実施形態のルーチング動作の例を示す図である。
【図５】番号ポータビリティサービスによりＮＧＮからＰＳＴＮに移動した加入者番号宛の呼に係る第二実施形態のルーチング動作の例を示す図である。
【図６】宛先解決装置に障害が発生した場合の、番号ポータビリティサービスによりＮＧＮ内の他のＳＳＣの配下に移動した加入者番号宛の呼に係るルーチング動作の例を示す図である。
【図７】宛先解決装置に障害が発生した場合の、番号ポータビリティサービスによりＮＧＮからＰＳＴＮに移動した加入者番号宛の呼に係るルーチング動作の例を示す図である。
【図８】比較例のルーチングシステムの接続構成例を示す図である。
【図９】比較例のルーチングシステムにおける、番号ポータビリティサービスによりＮＧＮ内の他のＳＳＣの配下に移動した加入者番号宛の呼に係るルーチング動作の例を示す図である。
【図１０】比較例のルーチングシステムにおける、番号ポータビリティサービスによりＮＧＮからＰＳＴＮに移動した加入者番号宛の呼に係るルーチング動作の例を示す図である。
【図１１】比較例のルーチングシステムにおける番号帯規制動作の例を示す図である。
【発明を実施するための形態】
【００３６】
以下、本発明を実施するための形態を、適宜図面を参照しながら説明する。
【００３７】
図１は、実施形態に係るルーチングシステムの接続構成例を示す図である。図１に示すルーチングシステムは、次世代網であるＮＧＮ（Next Generation Network）１と既存の公衆電話網であるＰＳＴＮ（Public Switched Telephone Network）２とが相互接続されて構成されている。ＩＰ電話端末３１〜３３には、いわゆる０ＡＢ〜Ｊ番号が付与されており、ＮＧＮ１は、番号区域を単位とする複数のブロックに分割される。それぞれのブロックには、当該番号区域の加入者を収容するＳＳＣと、他の番号区域との間および他網（ＰＳＴＮ２）との間で呼制御信号を中継するＩＳＣが配備される。
【００３８】
図１の例では、番号帯「０１−ＸＸＸＸ」に対応するＡブロック１０Ａには、番号帯「０１−１１１１」の加入者番号を収容するＳＳＣ１１と、ＩＳＣ１４とが配備されている。また、番号帯「０３−ＸＸＸＸ」に対応するＢブロック１０Ｂには、番号帯「０３−１１１１」の加入者番号を収容するＳＳＣ１２、番号帯「０３−２２２２」の加入者番号を収容するＳＳＣ１３、ＩＳＣ１５、およびＰＳＴＮ接続用のＩＳＣ１６が配備されている。
【００３９】
また、ＮＧＮ１には、宛先解決装置４が備えられ、さらに、網全体のトラヒックを監視して発信規制などを指示する規制指示装置としてＴＣＳ（Traffic Control System）３が備えられる。
【００４０】
宛先解決装置４は、ＮＧＮ１に収容されるそれぞれの加入者の電話番号が、どのＳＳＣの配下に収容されているかを記憶する加入者番号ルーチングテーブル４１を有する。図１に示した加入者番号ルーチングテーブル４１のデータ例は、加入者番号「０１−１１１１−０００１」がＳＳＣ１１に収容され、加入者番号「０３−１１１１−０００１」がＳＳＣ１２に収容されることなどを示している。なお、「ＳＳＣ＃１」〜「ＳＳＣ＃３」は、それぞれのＳＳＣへのルーチングに用いられるＳＲＮを表すものである。例えば、「ＳＳＣ＃１」の値は「０１−１１１１−００００」、「ＳＳＣ＃２」の値は「０３−１１１１−００００」である。
【００４１】
ＴＣＳ３は、特定の地域の網において輻輳が発生した場合に、各ＳＳＣ１１〜１３に対して当該地域の番号帯宛の発信を網別に規制する網別番号帯規制を指示する。図１には、ＰＳＴＮ２（＠ＮＷ２ドメイン）の番号帯「０３−１ＸＸＸ」宛の発信を規制する場合を例示している。
【００４２】
また、図１に示した加入者番号テーブル１７Ｘ，１７Ｙ，２３Ｘのデータ例は、ＳＳＣ１３に収容されていた電話番号「０２−２２２２−３３３３」がＳＳＣ１２の配下に移設され、ＳＳＣ１２に収容されていた電話番号「０３−１１１１−１１１１」がＰＳＴＮ２のＧＣ２１の配下に移設された場合を示している。
【００４３】
図２は、番号ポータビリティサービスによりＮＧＮ１内のあるＳＳＣから他のＳＳＣの配下に収容先が変更となった加入者番号宛の呼に係る第一実施形態のルーチング動作の例を示す図である。ここでは、ＴＣＳ３から、＠ＮＷ２ドメインつまりＰＳＴＮ２に対する網別番号帯規制「０３−１ＸＸＸ＠ＮＷ２」が各ＳＳＣ１１〜１３に指示されているものとする。
【００４４】
発信元のＩＰ電話端末３１から、加入者番号「０３−２２２２−３３３３」への発信が行われると、ＳＳＣ１１は、当該加入者番号（以降０ＡＪと標記）をパラメータとする宛先解決要求信号（図２では、一例としてＬＩＲ（０ＡＪ）と標記）を宛先解決装置４に送信する。宛先解決装置４は、自身の加入者番号ルーチングテーブル４１を参照して受信した加入者番号を収容しているＳＳＣ１２のＳＲＮが「ＳＳＣ＃２」であることを認識する。そして、当該加入者番号が収容されているＳＳＣ１２のＳＲＮを通知する宛先解決応答信号（図２では、一例としてＬＩＡ（０ＡＪ；ＳＳＣ＃２＠ＮＷ１）と標記）をＳＳＣ１１に返送する。
【００４５】
そこで、ＳＳＣ１１は、接続先となるＳＳＣ１２がＴＣＳ３から指示されている網別番号帯規制の対象ではないことを確認して、ＳＲＮを用いた番号ルーチングにより、当該加入者番号およびＳＲＮをパラメータとするＩＮＶＩＴＥ（０ＡＪ；ＳＳＣ＃２＠ＮＷ１）信号をＩＳＣ１４に送信する。そして、ＳＲＮを用いた番号ルーチングにより、同様なＩＮＶＩＴＥ信号がＩＳＣ１４からＩＳＣ１５を経由して当該番号帯を管理しているＳＳＣ１２に転送される。ＳＳＣ１２は、受信したＩＮＶＩＴＥ信号に含まれる加入者番号が自身の加入者番号テーブル１７Ｘに登録されていることを確認して該当するＩＰ電話端末３２に呼を着信させる。なお、仮にＳＳＣ１３の番号帯「０３−２２２２」が番号帯規制の対象とされている場合であっても、まったく同じ動作となり、移設前のＳＳＣが番号帯規制の対象となっていても、発信規制の対象から除外することができる。
【００４６】
また、ＳＳＣ１２に収容されている加入者番号「０３−１１１１−０００１」への発信の場合の動作も同様であり、ＮＧＮ１に収容されている加入者番号については他網の番号帯規制の対象とはならずに正常に呼接続が行われる。このように、本実施形態によれば、規制対象の番号帯に含まれる電話番号であっても、規制対象外の網に収容されている場合や規制対象のＳＳＣから他のＳＳＣの配下に移設された場合には、発信規制の対象から除外することができる。
【００４７】
図３は、番号ポータビリティサービスによりＮＧＮ１からＰＳＴＮ２に収容先が変更となった加入者番号宛の呼に係る第一実施形態の番号帯規制動作の例を示す図である。ここでは、ＴＣＳ３から、＠ＮＷ２ドメインつまりＰＳＴＮ２に対する網別番号帯規制「０３−１ＸＸＸ＠ＮＷ２」が各ＳＳＣ１１〜１３に指示されているものとする。
【００４８】
発信元のＩＰ電話端末３１から、加入者番号「０３−１１１１−１１１１」への発信が行われると、ＳＳＣ１１は、当該加入者番号（以降０ＡＪと標記）をパラメータとする宛先解決要求信号（図３では、一例としてＬＩＲ（０ＡＪ）と標記）を宛先解決装置４に送信する。宛先解決装置４は、受信した加入者番号が番号ポータビリティサービスによって自身の加入者番号ルーチングテーブル４１から削除されているので、当該加入者番号は他網に移設された旨を通知する宛先解決応答信号（図３では、一例としてＬＩＡ（０ＡＪ＠ＮＷ２）と標記）をＳＳＣ１１に返送する。
【００４９】
このとき、ＳＳＣ１１は、＠ＮＷ２ドメインに対する網別番号帯規制「０３−１ＸＸＸ＠ＮＷ２」が指示されているので、当該加入者番号宛の呼の発信を規制する。その結果、図３の破線矢印にて示した信号は送信されない。このように、本実施形態によれば、他網に移設された電話番号を番号帯規制の対象に含めることができる。
【００５０】
図４は、番号ポータビリティサービスによりＮＧＮ１内のあるＳＳＣから他のＳＳＣの配下に収容先が変更となった加入者番号宛の呼に係る第二実施形態のルーチング動作の例を示す図である。この第二実施形態のルーチング動作においては、宛先解決装置４は、着信先の加入者番号を収容しているＳＳＣのＳＲＮを応答する代わりに、当該加入者番号が自網に収容されているか否かを応答する。
【００５１】
発信元のＩＰ電話端末３１から、加入者番号「０３−２２２２−３３３３」への発信が行われると、ＳＳＣ１１は、当該加入者電話番号（以降０ＡＪと標記）をパラメータとする宛先解決要求信号（図４では、一例としてＬＩＲ（０ＡＪ）と標記）を宛先解決装置４に送信する。ここで、宛先解決装置４は、自身の加入者番号ルーチングテーブル４１を参照して、当該加入者番号の収容先のＳＳＣを識別するものの、単に当該加入者番号が自網に収容されていることを示す宛先解決応答信号（図４では、一例としてＬＩＡ（０ＡＪ）と標記）をＳＳＣ１１に返送する。
【００５２】
そこで、ＳＳＣ１１は、従来の番号ルーチングにより、当該加入者番号をパラメータとするＩＮＶＩＴＥ（０ＡＪ）信号をＩＳＣ１４に送信する。そして、従来の番号ルーチングにより、同様なＩＮＶＩＴＥ信号がＩＳＣ１４からＩＳＣ１５を経由して当該番号帯を管理しているＳＳＣ１３に転送される。
【００５３】
ここで、ＳＳＣ１３は、自身の加入者番号テーブル１７Ｙを参照することで受信した加入者番号の移設先のＳＲＮが「ＳＳＣ＃２」であることを認識し、当該加入者番号は自網の他ＳＳＣの配下に移設されたことを通知する３０１（０ＡＪ；ＳＳＣ＃２＠ＮＷ１）信号をＩＳＣ１５に返送する。この信号を受信したＩＳＣ１５は、ＳＲＮを用いた番号ルーチングによりＳＳＣ１２宛にＩＮＶＩＴＥ（０ＡＪ；ＳＳＣ＃２＠ＮＷ１）信号を送信する。ＳＳＣ１２は、受信したＩＮＶＩＴＥ信号に含まれる加入者番号が自身の加入者番号テーブル１７Ｘに登録されていることを確認して、該当するＩＰ電話端末３２に呼を着信させる。このように、本実施形態によれば、呼制御信号のルーチングに従来の番号ルーチングをそのまま適用できる（図９の比較例を参照）ので、運用中のシステムへの適用が容易である。
【００５４】
図５は、番号ポータビリティサービスによりＮＧＮ１からＰＳＴＮ２に収容先が変更となった加入者番号宛の呼に係る第二実施形態のルーチング動作の例を示す図である。
【００５５】
発信元のＩＰ電話端末３１から、加入者番号「０３−１１１１−１１１１」への発信が行われると、ＳＳＣ１１は、当該加入者電話番号（以降０ＡＪと標記）をパラメータとする宛先解決要求信号（図５では、一例としてＬＩＲ（０ＡＪ）と標記）を宛先解決装置４に送信する。宛先解決装置４は、受信した加入者番号が番号ポータビリティサービスによって自身の加入者番号ルーチングテーブル４１から削除されているので、当該加入者番号は他網に移設されたことを通知する宛先解決応答信号（図５では、一例としてＬＩＡ（０ＡＪ＠ＮＷ２）と標記）をＳＳＣ１１に返送する。
【００５６】
そこで、ＳＳＣ１１は、＠ＮＷ２ドメイン宛のＩＮＶＩＴＥ（０ＡＪ＠ＮＷ２）信号をＩＳＣ１４に送信し、＠ＮＷ２ドメインへのルーチングにより、同様なＩＮＶＩＴＥ信号がＩＳＣ１４からＩＳＣ１５を経由してＩＳＣ１６に転送される。ＩＳＣ１６は、受信したＩＮＶＩＴＥ信号をＰＳＴＮ２の呼接続要求信号であるＩＡＭ（０ＡＪ）信号に変換してＩＧＳ２２に送信する。ＩＧＳ２２は、従来の番号ルーチングによって当該ＩＡＭ（０ＡＪ）信号を当該加入者番号を収容するＧＣ２１に転送し、ＧＣ２１は、受信したＩＡＭ信号に含まれる加入者番号が自身の加入者番号テーブル２３Ｘに登録されていることを確認して、該当する電話機３４に呼を着信させる。このように、本実施形態によれば、他網に移設された電話番号については、移設前のＳＳＣに呼制御信号をルーチングしない（図１０の比較例を参照）ので、移設前のＳＳＣが番号帯規制の対象であっても、接続ゲートウェイを介して通話路を設定することができる。
【００５７】
続いて、宛先解決装置に障害が発生した場合の動作について説明する。図６は、宛先解決装置４に障害が発生した場合の、番号ポータビリティサービスによりＮＧＮ１内のあるＳＳＣから他のＳＳＣの配下に収容先が変更となった加入者番号宛の呼に係るルーチング動作の例を示す図である。
【００５８】
発信元のＩＰ電話端末３１から、加入者番号「０３−２２２２−３３３３」への発信が行われると、ＳＳＣ１１は、当該加入者番号（以降０ＡＪと標記）をパラメータとする宛先解決要求信号（図６では、一例としてＬＩＲ（０ＡＪ）と標記）を宛先解決装置４に送る。ここで、宛先解決装置４に何らかの障害が発生したため、本来応答されるべき宛先解決応答信号（図２参照）がＳＳＣ１１に戻ってこないものとする。
【００５９】
このとき、ＳＳＣ１１は、所定時間内に宛先解決装置４から宛先解決応答信号が戻ってこない場合には、従来の番号ルーチングにより、当該加入者番号をパラメータとするＩＮＶＩＴＥ信号をＩＳＣ１４に送信する。そして、従来の番号ルーチングにより、同様なＩＮＶＩＴＥ信号がＩＳＣ１４からＩＳＣ１５を経由して当該番号帯を管理しているＳＳＣ１３に転送される。
【００６０】
ここで、ＳＳＣ１３は、自身の加入者番号テーブル１７Ｙを参照することで受信した加入者番号の移設先のＳＲＮが「ＳＳＣ＃２」であることを認識し、当該加入者番号は自網の他ＳＳＣの配下に移設されたことを通知する３０１（０ＡＪ；ＳＳＣ＃２＠ＮＷ１）信号をＩＳＣ１５に送信する。この信号を受信したＩＳＣ１５は、ＳＲＮを用いた番号ルーチングによりＳＳＣ１２宛にＩＮＶＩＴＥ（０ＡＪ；ＳＳＣ＃２＠ＮＷ１）信号を送信する。ＳＳＣ１２は、受信したＩＮＶＩＴＥ信号に含まれる加入者番号が自身の加入者番号テーブル１７Ｘに登録されていることを確認して、該当するＩＰ電話端末３２に呼を着信させる。
【００６１】
図７は、宛先解決装置に障害が発生した場合の、番号ポータビリティサービスによりＮＧＮ１からＰＳＴＮ２に収容先が変更となった加入者番号宛の呼に係るルーチング動作の例を示す図である。
【００６２】
発信元のＩＰ電話端末３１から、加入者番号「０３−１１１１−１１１１」への発信が行われると、ＳＳＣ１１は、当該加入者番号（以降０ＡＪと標記）をパラメータとする宛先解決要求信号（図７では、一例としてＬＩＲ（０ＡＪ）と標記）を宛先解決装置４に送信する。ここで、宛先解決装置４に何らかの障害が発生したため、本来応答されるべき宛先解決応答信号（図５参照）がＳＳＣ１１に戻ってこないものとする。
【００６３】
このとき、ＳＳＣ１１は、所定時間内に宛先解決装置４から宛先解決応答信号が戻ってこない場合には、従来の番号ルーチングにより、当該加入者番号をパラメータとするＩＮＶＩＴＥ信号をＩＳＣ１４に送信する。そして、従来の番号ルーチングにより、同様なＩＮＶＩＴＥ信号がＩＳＣ１４からＩＳＣ１５を経由して当該番号帯を管理しているＳＳＣ１２に転送される。
【００６４】
ここで、ＳＳＣ１２は、受信した加入者番号が番号ポータビリティサービスによって自身の加入者番号テーブル１７Ｘから削除されているので、当該加入者番号は他網に移設されたことを通知する３０１（＠ＮＷ２）信号をＩＳＣ１５に送信する。この信号を受信したＩＳＣ１５は、＠ＮＷ２ドメインへの呼接続を行うために、＠ＮＷ２ドメイン宛のＩＮＶＩＴＥ信号をＩＳＣ１６に送信する。ＩＳＣ１６は、受信したＩＮＶＩＴＥ信号をＰＳＴＮ２の呼接続要求信号であるＩＡＭ（０ＡＪ）信号に変換してＩＧＳ２２に送信する。ＩＧＳ２２は、従来の番号ルーチングによって当該ＩＡＭ（０ＡＪ）信号を当該加入者番号を収容するＧＣ２１に転送し、ＧＣ２１は、受信したＩＡＭ信号に含まれる加入者番号が自身の加入者番号テーブル２３Ｘに登録されていることを確認して、該当する電話機３４に呼を着信させる。
【００６５】
このように、本実施形態によれば、宛先解決装置の障害等により応答が返ってこなくなった状況においても、電話番号をキーとする従来の番号ルーチングを適用すればよいので、通常の運用時とほぼ同様のロジックで異常処理を実装することができる。
【００６６】
以上説明したように、本実施形態によれば、特定の地域で輻輳が発生した場合に、規制対象とすべき網を限定して番号帯規制を指示可能であり、また、規制対象の電話番号が番号ポータビリティサービスによって他の加入者セッション制御サーバまたは他網に移設された場合には発信規制の対象から除外することができる。
【００６７】
以上にて、本発明を実施する形態の説明を終えるが、本発明の実施の態様はこれに限られるものではなく、本発明の趣旨を逸脱しない範囲において各種の変更が可能であることは言うまでもない。
【符号の説明】
【００６８】
１    ＮＧＮ（ＩＰ網）
２    ＰＳＴＮ（他網）
３    ＴＣＳ（トラヒック制御装置）
４    宛先解決装置
１１，１２，１３  加入者セッション制御サーバ（ＳＳＣ、発信元サーバ、着信先サーバ）
１４，１５，１６  中継セッション制御サーバ（ＩＳＣ）
１７Ｘ，１７Ｙ，２３Ｘ  加入者番号テーブル
２１  群局（ＧＣ、着信先サーバ）
２２  関門交換機（ＩＧＳ）
３１，３２，３３  ＩＰ電話端末
３４  電話機（電話端末）
４１  加入者番号ルーチングテーブル
【図１】
2015204586.tif 000003
【図２】
2015204586.tif 000004
【図３】
2015204586.tif 000005
【図４】
2015204586.tif 000006
【図５】
2015204586.tif 000007
【図６】
2015204586.tif 000008
【図７】
2015204586.tif 000009
【図８】
2015204586.tif 000010
【図９】
2015204586.tif 000011
【図１０】
2015204586.tif 000012
【図１１】
2015204586.tif 000013